(57)【要約】【課題】トナーの残量検出機能を備えた画像形成装置において、トナーの残量を考慮して画像形成をする場合、どのような画像が形成されるかを確認することができる画像形成装置を提供する。【解決手段】画像形成装置は、カラー画像データの印刷に使用する、複数色のトナーの残量を各色別に計測するトナー残量検出機能（Ｓ１１２）と、トナー残量検出機能によって検出された各色別のトナー残量が所定の条件を充足したときに、カラー画像データに対し、当該カラー画像データを形成するために使用する各色別のトナー濃度をそれぞれ別の態様で調整した画像を表す複数個のプレビュー画像を生成し、表示するためのプレビュー画像表示機能（Ｓ１２０、Ｓ１２２）とを含む。【選択図】        図１２
2010117648.tif 000002
【特許請求の範囲】
【請求項１】
カラー画像データの印刷に使用する、複数色のトナーの残量を各色別に計測するためのトナー残量検出手段と、
前記トナー残量検出手段によって検出された各色別のトナー残量が所定の条件を充足したときに、前記カラー画像データに対し、当該カラー画像データを形成するために使用する各色別のトナー濃度をそれぞれ別の態様で調整した画像を表す複数のプレビュー画像を生成し、表示するためのプレビュー画像表示手段とを含む、画像形成装置。
【請求項２】
前記プレビュー画像表示手段は、
前記カラー画像データを標準濃度で印刷する時に消費されるトナー量を各色別に算出するためのトナー消費量算出手段と、
前記トナー消費量算出手段により算出された各色別のトナー消費量と前記トナー残量検出手段により計測された各色別のトナーの残量とを比較し、前記カラー画像データを標準濃度で印刷するときに印刷終了までにトナー切れが生じるか否かを判定するためのトナー切れ判定手段と、
前記トナー切れ判定手段により、第１の色のトナーにトナー切れが生じると判定されたことに応答して、前記第１の色のトナー濃度を複数通りに変えて形成されるカラー画像にそれぞれ対応する複数のプレビュー画像を表示するための手段とを含み、
前記複数通りのトナー濃度は、いずれを用いて前記カラー画像データを印刷したときにも、印刷終了までにトナー切れが生じないように選ばれる、請求項１に記載の画像形成装置。
【請求項３】
前記複数の前記プレビュー画像のうちのいずれかを利用者に選択させるための画像選択手段と、
利用者からの印刷指示に応答して、前記画像選択手段により選択されたプレビュー画像と同じ色調でカラー画像を形成するための画像形成手段とをさらに含む、請求項２に記載の画像形成装置。
【請求項４】
前記画像選択手段により選択されたプレビュー画像の色調を、印刷終了まで前記第１の色のトナーにトナー切れが生じることなく印刷実行可能な範囲内で再設定するための色調再設定手段と、
前記色調再設定手段により前記選択されたプレビュー画像の色調が再設定されたことに応答して、前記色調再設定手段により再設定された色調にしたがって前記プレビュー画像の表示を更新するためのプレビュー画像更新手段とをさらに含む、請求項３に記載の画像形成装置。
【請求項５】
前記色調再設定手段は、利用者の操作に応答して、前記画像選択手段により選択されたプレビュー画像の各色のトナー濃度を、印刷終了まで前記第１の色のトナーにトナー切れが生じることなく印刷実行可能な範囲内で、段階的に切替えるための手段を含む、請求項４に記載の画像形成装置。
【請求項６】
前記画像選択手段により選択されたプレビュー画像と、前記カラー画像データとを並べて表示するための手段をさらに含む、請求項５に記載の画像形成装置。
【請求項７】
前記複数の前記プレビュー画像のうちのいずれかを利用者に選択させるための画像選択手段と、
利用者からの印刷指示に応答して、前記画像選択手段により選択されたプレビュー画像と同じ色調でカラー画像を形成するための画像形成手段とをさらに含む、請求項１に記載の画像形成装置。
【請求項８】
前記トナー残量検出手段によりトナーの残量なしと判定されたトナー色を示す情報と、トナーの残量があるトナー色を示す情報とを、互いに判別可能な態様で表示するための手段をさらに含む、請求項１〜請求項７のいずれかに記載の画像形成装置。
【発明の詳細な説明】
【技術分野】
【０００１】
本発明は、画像データを印刷する画像形成装置に関し、特にトナーの残量検出機能を備えた画像形成装置に関する。
【背景技術】
【０００２】
画像形成装置においてカラー画像を形成する時、一般的に、シアン（Ｃ）、マゼンタ（Ｍ）、イエロー（Ｙ）、ブラック（Ｂ）の４色のトナーなどが用いられる。画像形成装置には、トナーの残量検出機能を有するものがある。従来は、特定色のトナーがなくなったとき、その色のトナーが補給されるまで印刷動作を中断する画像形成装置が多かったが、特定色のトナーがなくなっても画像形成動作を継続することで、印刷中断による印刷時間の無駄を軽減する技術が提案されている。
【０００３】
特許文献１には、特定色のトナーがなくなった時に、他の色のトナーによる代替、又は、残量が多いトナーを混合することでカラー画像を形成し、画像形成動作を継続できる技術が開示されている。
【０００４】
特許文献２には、ユーザ毎に特定色のトナーがなくなった時の色調変換についてあらかじめ設定しておき、色調変換された画像をプレビューにて確認し、表示された色調でカラー画像の形成動作を継続するか否かを選択できる技術が開示されている。
【特許文献１】特開２００６−３０１３２８号
【特許文献２】特開２００８−１９１５０４号
【発明の開示】
【発明が解決しようとする課題】
【０００５】
特定色のトナーがなくなった時にも、上記の技術を用いることで画像形成装置の動作を継続することができる。しかし、画像形成装置が継続されたとしても、ユーザにとって有益な印刷物が作成されなかった場合には、かえって無駄な印刷を行なってしまうという問題点があった。
【０００６】
特許文献１の技術は、特定色のトナーがなくなった時に形成されるカラー画像を事前に確認することができなく、印刷結果がユーザにとって有用な印刷物となるか否かについて解決策を与えているわけではない。
【０００７】
特許文献２の技術は、印刷開始前の色調変換された画像を確認できるが、その画像がユーザにとって必ずしも有益なものであるとは限らず、問題点を解決するには十分な技術ではなかった。
【０００８】
それゆえに、本発明の目的は、トナーの残量検出機能を備えた画像形成装置において、トナーの残量を考慮して画像形成をする場合、どのような画像が形成されるかを確認することができる画像形成装置を提供することである。
【課題を解決するための手段】
【０００９】
本発明の第１の局面に係る画像形成装置は、カラー画像データの印刷に使用する、複数色のトナーの残量を各色別に計測するためのトナー残量検出手段と、トナー残量検出手段によって検出された各色別のトナー残量が所定の条件を充足したときに、カラー画像データに対し、当該カラー画像データを形成するために使用する各色別のトナー濃度をそれぞれ別の態様で調整した画像を表す複数個のプレビュー画像を生成し、表示するためのプレビュー画像表示手段とを含む。
【００１０】
この画像形成装置において、トナー残量検出手段は、カラー画像データの印刷に使用する、複数色のトナーの残量を各色別に計測する。プレビュー画像表示手段は、トナー残量検出手段によって検出された各色別のトナー残量が所定の条件を充足したときに、カラー画像データに対し、当該カラー画像データを形成するために使用する各色別のトナー濃度をそれぞれ別の態様で調整した画像を表す複数個のプレビュー画像を生成し、表示する。その結果、トナーの残量検出機能を備えた画像形成装置において、トナーの残量を考慮して画像形成をする場合、どのような画像が形成されるかを確認することができる画像形成装置を提供することができる。
【００１１】
好ましくは、プレビュー画像表示手段は、カラー画像データを標準濃度で印刷する時に消費されるトナー量を各色別に算出するためのトナー消費量算出手段と、トナー消費量算出手段により算出された各色別のトナー消費量とトナー残量検出手段により計測された各色別のトナーの残量とを比較し、カラー画像データを標準濃度で印刷するときに印刷終了までにトナー切れが生じるか否かを判定するためのトナー切れ判定手段と、トナー切れ判定手段により、第１の色のトナーにトナー切れが生じると判定されたことに応答して、第１の色のトナー濃度を複数通りに変えて形成されるカラー画像にそれぞれ対応する複数のプレビュー画像を表示するための手段とを含む。複数通りのトナー濃度は、いずれを用いてカラー画像データを印刷したときにも、印刷終了までにトナー切れが生じないように選ばれる。
【００１２】
トナー消費量算出手段は、カラー画像データを標準濃度で印刷する時に消費されるトナー量を各色別に算出する。トナー切れ判定手段は、トナー消費量算出手段により算出された各色別のトナー消費量とトナー残量検出手段により計測された各色別のトナーの残量とを比較し、カラー画像データを標準濃度で印刷するときに印刷終了までにトナー切れが生じるか否かを判定する。プレビュー画像表示手段は、トナー切れ判定手段により、第１の色のトナーにトナー切れが生じると判定されたことに応答して、第１の色のトナー濃度を複数通りに変えて形成されるカラー画像にそれぞれ対応する複数のプレビュー画像を表示する。その結果、トナーの残量を考慮して画像形成をする場合に、途中で色調が変わらないようにするという条件で、どのような画像が形成されるかを表示される複数のプレビュー画像を通して確認することができる。
【００１３】
好ましくは、画像形成装置は、複数のプレビュー画像のうちのいずれかを利用者に選択させるための画像選択手段と、利用者からの印刷指示に応答して、画像選択手段により選択されたプレビュー画像と同じ色調でカラー画像を形成するための画像形成手段とをさらに含む。
【００１４】
画像選択手段は、複数のプレビュー画像のうちのいずれかを利用者に選択させる。画像形成手段は、利用者からの印刷指示に応答して、画像選択手段により選択されたプレビュー画像と同じ色調でカラー画像を形成する。
【００１５】
利用者は表示される複数のプレビュー画像のうちからいずれか好ましい色調のものを選択し、印刷することができる。印刷されるカラー画像はプレビュー画像と同じ色調で印刷される。そのため利用者は、トナー残量を考慮して印刷物を形成する場合でも、希望するものに近い印刷物を選択して、作成することができる。
【００１６】
好ましくは、画像形成手段は、画像選択手段により選択されたプレビュー画像の色調を、印刷終了まで第１の色のトナーにトナー切れが生じることなく印刷実行可能な範囲内で再設定するための色調再設定手段と、色調再設定手段により選択されたプレビュー画像の色調が再設定されたことに応答して、色調再設定手段により再設定された色調にしたがってプレビュー画像の表示を更新するためのプレビュー画像更新手段とをさらに含む。
【００１７】
色調再設定手段は、画像選択手段により選択されたプレビュー画像の色調を再設定する。再設定は、印刷終了まで第１の色のトナーにトナー切れが生じることなく印刷実行可能な範囲内で行なわれる。プレビュー画像更新手段は、プレビュー画像の色調が再設定されたことに応答して、再設定された色調にしたがってプレビュー画像の表示を更新する。
【００１８】
利用者は、印刷再設定手段により選択したプレビュー画像の色調を再設定することができる。再設定された色調は、プレビュー画像更新手段により、プレビュー画像が更新される。また、色調再設定時においても、印刷終了まで第１の色のトナーにトナー切れが生じることなく印刷実行可能な範囲内で再設定が可能である。この結果、利用者は印刷終了まで変化することのない、好ましい色調のカラー画像を、印刷することなく確認することができる。
【００１９】
好ましくは、色調再設定手段は、利用者の操作に応答して、画像選択手段により選択されたプレビュー画像の各色のトナー濃度を、印刷終了まで第１の色のトナーにトナー切れが生じることなく印刷実行可能な範囲内で、段階的に切替えるための手段を含む。
【００２０】
色調再設定時には、各色のトナー濃度を、矢印ボタンなどを用いて段階的に設定することができる。その結果、利用者は簡単な操作で色調を変更させることができる。
【００２１】
好ましくは、画像形成装置は、画像選択手段により選択されたプレビュー画像と、カラー画像データとを並べて表示するための手段をさらに含む。
【００２２】
実際の画像データと表示されたプレビューデータとを並べて表示することで両者の比較ができ、プレビューデータにしたがって印刷を行なうか否か、又は色調の再設定を行なうかなど、利用者にとっての判断がしやすくなる。
【００２３】
好ましくは、画像形成装置は、トナー残量検出手段によりトナーの残量なしと判定されたトナー色を示す情報と、トナーの残量があるトナー色を示す情報とを、互いに判別可能な態様で表示するための手段をさらに含む。
【００２４】
トナー残量検出手段により残量なしと判定されたものは、残量があるものと判別可能な形で表示される。その結果、利用者はトナー切れを確実に知ることができ、トナー交換などの対応をすることができる。
【発明の効果】
【００２５】
以上のように、本発明によればカラー画像データを印刷する画像形成装置において、カラー画像データの印刷に使用する、複数色のトナーの残量を各色別に計測する。検出された各色別のトナー残量が所定の条件を充足したときには、カラー画像データに対し、当該カラー画像データを形成するために使用する各色別のトナー濃度をそれぞれ別の態様で調整した画像を表す複数個のプレビュー画像を生成し、表示する。その結果、トナーの残量検出機能を備えた画像形成装置において、トナーの残量を考慮して画像形成をする場合、どのような画像が形成されるかを確認することができる画像形成装置を提供することができる。
【発明を実施するための最良の形態】
【００２６】
以下の説明及び図面においては、同一部品には同じ参照符号および名称を付してある。それらの機能も同様である。したがって、それらについての詳細な説明は繰返さない。
【００２７】
［第１の実施の形態］
―構成―
図１は、第１の実施の形態に係るデジタル複合機４０を含む、データ通信システム３０の全体構成を表す模式図である。本発明に係るデジタル複合機４０は、画像形成装置を含み、プリンタ機能、コピー機能及びファクシミリ機能を備えている。
【００２８】
図１を参照し、デジタル複合機４０は、電話回線網４２及びＬＡＮ（Ｌｏｃａｌ  Ａｒｅａ  Ｎｅｔｗｏｒｋ）４４に接続される。データ通信システム３０はさらに、ＬＡＮ４４に接続されたコンピュータ４６を含む。電話回線網４２にはさらに、不特定多数の送信先ファクシミリ装置５２が接続される。ＬＡＮ４４は、ゲートウェイ（図示せず）を介してインターネット網５０に接続され、インターネット網５０にはさらに、不特定多数のインターネットファクシミリ装置５４（以下送信先ファクシミリ装置５４という）と、外部コンピュータ４８とが接続される。
【００２９】
図２は、本実施の形態に係るデジタル複合機４０の構成を表すブロック図である。図２を参照して、デジタル複合機４０は、ＣＰＵ（Ｃｅｎｔｒａｌ  Ｐｒｏｃｅｓｓｉｎｇ  Ｕｎｉｔ）で構成されデジタル複合機４０の全体の制御を行なうための制御部６０と、制御部６０に接続されたバス９０と、いずれもバス９０に接続された、不揮発性のメモリなどからなる制御プログラムを記憶するための制御用メモリ６２、ＲＡＭ（Ｒａｎｄｏｍ  Ａｃｃｅｓｓ  Ｍｅｍｏｒｙ）からなるプログラムのデータ用として使用される制御用バッファ７６、原稿画像を読取るための読取部６８、記録紙に画像データを出力するための記録部６６、読取部６８で読取った画像データから送信ファクシミリ用画像データを作成するための画像処理部７４、操作者からの入力指示を受付けるための操作パネル６４、
読取った画像データを符号化し、受信した符号化データを元の画像データに復号化するための符号／復号化制御部８０、符号化された画像データを所定のファイルフォーマットに変換するためのフォーマット変換部７０、符号化された状態の画像データ、及び読取部６８で読取ったデータを記憶するための画像記憶部７２、記録部６６におけるカラー画像を形成するためのトナー残量を検出するためのトナー残量検出部７８、及び操作パネル６４上に表示するプレビュー画像を生成するためのプレビュー画像生成部８８を含む。
【００３０】
デジタル複合機４０はさらに、ＬＡＮに接続するためのＬＡＮインターフェイス８２と、電話回線網と接続され回線の制御を行なうための網制御部８４と、電話回線網と接続しデータ通信を行なうためのモデム８６とを含む。
【００３１】
制御用メモリ６２と、制御用バッファ７６と、読取部６８と、記録部６６と、画像処理部７４と、操作パネル６４と、符号／復号化制御部８０と、フォーマット変換部７０と、画像記憶部７２と、トナー残量検出部７８と、プレビュー画像生成部８８と、ＬＡＮインターフェイス８２と、網制御部８４と、モデム８６とは、バス９０を介して接続されており、全体の制御は制御部６０によって行なわれる。
【００３２】
図３は、読取部６８、記録部６６とで構成されるデジタル複合機４０の断面図である。デジタル複合機４０は、画像データに応じて記録用紙に対して多色又は単色の画像を形成する。図３を参照して、デジタル複合機４０は、装置本体１００と、自動原稿処理装置１１０とを含む。
【００３３】
装置本体１００の上部には、読取部６８が設けられる。読取部６８は、プラテンガラスなどで構成される原稿載置台１７６と、原稿読取部１７２と、原稿載置台１７６の上側にヒンジ（図示せず）により開閉自在に取付けられている自動原稿処理装置１１０を含む。原稿読取部１７２は、自動原稿処理装置１１０によって原稿載置台１７６の上に搬送された原稿を読取る。また、原稿読取部１７２は、自動原稿処理装置１１０を開放して、原稿載置台１７６の上に手動で配置された原稿を読取ることも可能である。
【００３４】
装置本体１００は、露光ユニット１２０、現像器１２２Ａ〜１２２Ｄ、感光体ドラム１２４Ａ〜１２４Ｄ、クリーナユニット１２６Ａ〜１２６Ｄ、帯電器１２８Ａ〜１２８Ｄ、中間転写ベルトユニット１３０、定着ユニット１３２、給紙カセット１６８、及び排紙トレイ１７４を含む。
【００３５】
デジタル複合機４０において扱われる画像データは、ブラック（Ｂ）、シアン（Ｃ）、マゼンタ（Ｍ）、イエロー（Ｙ）の各色に応じたカラーデータである。従って、現像器１２２Ａ〜１２２Ｄ、感光体ドラム１２４Ａ〜１２４Ｄ、帯電器１２８Ａ〜１２８Ｄ、クリーナユニット１２６Ａ〜１２６Ｄは、各色に応じた４種類の潜像を形成するようにそれぞれがブラック、シアン、マゼンタ、イエロー用に設定され、これらによって４つの画像ステーションが構成されている。
【００３６】
帯電器１２８Ａ〜１２８Ｄはそれぞれ、感光体ドラム１２４Ａ〜１２４Ｄの表面を所定の電位に均一に帯電させるための帯電手段である。
【００３７】
露光ユニット１２０は、レーザ出射部及び反射ミラー等を備えたレーザスキャニングユニット（ＬＳＵ）として構成される。露光ユニット１２０は、レーザビームを走査するポリゴンミラーと、ポリゴンミラーによって反射されたレーザ光を各色の感光体ドラム１２４Ａ〜１２４Ｄに導くためのレンズ及びミラー等の光学要素が配置されている。露光ユニット１２０を構成する光走査装置の構成は、後に具体的に説明する。
【００３８】
露光ユニット１２０は、帯電された感光体ドラム１２４Ａ〜１２４Ｄをそれぞれ入力された各色の画像データに応じて露光することにより、その表面に、各色の画像データに応じた静電潜像を形成する。
【００３９】
現像器１２２Ａ〜１２２Ｄは、それぞれに対応する感光体ドラム１２４Ａ〜１２４Ｄ上に形成された静電潜像を対応する４色（Ｙ、Ｍ、Ｃ、Ｂ）のトナーにより顕像化する。また、クリーナユニット１２６Ａ〜１２６Ｄは、現像・画像転写後におけるそれぞれの感光体ドラム１２４Ａ〜１２４Ｄ上の表面に残留したトナーを、除去・回収する。
【００４０】
感光体ドラム１２４Ａ〜１２４Ｄの上方に配置されている中間転写ベルトユニット１３０は、中間転写ベルト１５２、中間転写ベルト駆動ローラ１５４、中間転写ベルト従動ローラ１５６、中間転写ローラ１５８Ａ〜１５８Ｄ、及び中間転写ベルトクリーニングユニット１６０を備えている。中間転写ローラ１５８Ａ〜１５８Ｄは、各色に対応して設けられている。
【００４１】
中間転写ベルト駆動ローラ１５４、中間転写ベルト従動ローラ１５６、及び中間転写ローラ１５８には、中間転写ベルト１５２を張架され、中間転写ベルト１５２はこれらローラにより回転駆動される。各中間転写ローラ１５８Ａ〜１５８Ｄは、感光体ドラム１２４Ａ〜１２４Ｄのトナー像を、中間転写ベルト１５２上に転写するための転写バイアス電圧を与える。
【００４２】
中間転写ベルト１５２は、各感光体ドラム１２４Ａ〜１２４Ｄに接触するように設けられている、そして、感光体ドラム１２４Ａ〜１２４Ｄに形成された各色のトナー像を中間転写ベルト１５２に順次的に重ねて転写することによって、中間転写ベルト１５２上にカラーのトナー像（多色トナー像）を形成する。
【００４３】
感光体ドラム１２４Ａ〜１２４Ｄから中間転写ベルト１５２へのトナー像の転写は、中間転写ベルト１５２の裏側に接触している中間転写ローラ１５８Ａ〜１５８Ｄによって行われる。中間転写ローラ１５８Ａ〜１５８Ｄには、トナー像を転写するために高電圧の転写バイアス（トナーの帯電極性とは逆極性の高電圧）が印加されている。中間転写ローラ１５８Ａ〜１５８Ｄは、直径８〜１０ｍｍの金属（例えばステンレス）軸をベースとし、その表面が導電性の弾性材により覆われている。この導電性の弾性材により、中間転写ベルト１５２に対して均一に高電圧を印加する。
【００４４】
このように、感光体ドラム１２４Ａ〜１２４Ｄ上で各色相に応じて顕像化された静電像は中間転写ベルト１５２に積層される。積層された画像情報は中間転写ベルト１５２の回転によって、後述の用紙と中間転写ベルト１５２の接触位置に配置される転写ローラ１３８によって用紙上に転写される。このとき、中間転写ベルト１５２と転写ローラ１３８とは所定ニップで圧接されると共に、転写ローラ１３８にはトナーを用紙に転写させるための電圧が印加される。
【００４５】
感光体ドラム１２４Ａ〜１２４Ｄに接触することにより中間転写ベルト１５２に付着したトナー、又は転写ローラ１３８によって用紙上に転写が行われず中間転写ベルト１５２上に残存したトナーは、次の工程でトナーの混色を発生させる原因となるために、中間転写ベルトクリーニングユニット１６０によって除去・回収される。中間転写ベルトクリーニングユニット１６０には、中間転写ベルト１５２に接触するクリーニング部材としてクリーニングブレードが備えられており、クリーニングブレードが接触する中間転写ベルト１５２は、裏側から中間転写ベルト従動ローラ１５６で支持されている。
【００４６】
給紙カセット１６８は、装置本体１００の露光ユニット１２０の下側に設けられており、記録用紙を蓄積しておくためのトレイである。また、手差し給紙カセット１７０にも記録用紙を置くことができる。
【００４７】
装置本体１００の上方に設けられている排紙トレイ１７４は、印刷済みのシートをフェイスダウンで集積するためのトレイである。また装置本体１００には、給紙カセット１６８及び手差し給紙カセット１７０の記録用紙を転写ローラ１３８及び定着ユニット１３２を経由させて排紙トレイ１７４に送るための、略垂直形状の用紙搬送路Ｓが設けられている。
【００４８】
給紙カセット１６８及び手差し給紙カセット１７０から排紙トレイ１７４までの用紙搬送路Ｓの近傍には、ピックアップローラ１４０ａ、１４０ｂ、複数の搬送ローラ１４２ａ〜１４２ｄ、レジストローラ１４４、転写ローラ１３８、及び定着ユニット１３２が配置されている。搬送ローラ１４２ａ〜１４２ｄは、記録用紙の搬送を促進・補助するための小型のローラであり、用紙搬送路Ｓに沿って複数設けられている。ピックアップローラ１４０ａは、給紙カセット１６８の端部近傍に備えられ、給紙カセット１６８からシートを１枚ずつピックアップして用紙搬送路Ｓに供給する。ピックアップローラ１４０ｂは、手差し給紙カセット１７０の端部近傍に備えられ、手差し給紙カセット１７０から記録用紙を１枚ずつピックアップして用紙搬送路Ｓに供給する。
【００４９】
図４は操作パネル６４を表す図である。操作パネル６４は、各種ハードウェアキーからなる操作部１９２と、液晶ディスプレイ及びタッチパネルにより構成される表示部１９０とを含む。操作部１９２は、数値入力のためのテンキー１９４と、入力した設定値をクリアするためのクリアキー１９６と、入力した各種設定を全解除するための全解除キー１９８と、コピー開始、及び送信開始等の指示を入力するスタートキー２００と、プリンタモードに切換えるプリンタキー２０２と、ファクシミリなどのイメージ送信モードに切換えるイメージ送信モードキー２０４と、コピーモードに切換えるコピーモードキー２０６と、利用者による設定モードに切換えるユーザ設定キー２０８とを含む。
【００５０】
以下、デジタル複合機４０における、コピーモードでの動作について説明を行なう。
【００５１】
図５は表示部１９０に表示される、コピーモードにおける初期画面２１０を示す図である。図５を参照して、初期画面２１０は、プレビュー確認を行なうか否かを設定するためのプレビュー確認設定ボタン２１２と、コピーモードにおけるカラー印刷設定を行なうためのカラー設定ボタン２１４と、コピー濃度を設定するためのコピー濃度ボタン２１６と、テンキー１９４によって入力を受付ける印刷部数を示す印刷部数表示２１８と、デジタル複合機４０の装置状態などを表示するメッセージ表示部２２０とを含む。
【００５２】
プレビュー確認設定ボタン２１２を押すと、背景がグレー表示されプレビュー表示設定がされる。プレビュー表示設定がされている時にもう一度押すと、グレー表示が解除されプレビュー表示設定も解除される。
【００５３】
図５は、印刷部数は０、カラー設定はフルカラーモード、コピー濃度は自動設定、プレビュー確認設定は無しの状態を表している。また、後述するトナー残量についても残量が十分なため、メッセージ表示部２２０には「コピー読み込みできます。」の通常メッセージのみが表示されている。
【００５４】
図６は、トナー残量検出部７８がデジタル複合機４０のシアン（Ｃ）トナーが切れていることを検出したときに表示部１９０に表示される、コピーモードの初期画面２３０を示す図である。
【００５５】
図６は、印刷部数は０、カラー設定はフルカラーモード、コピー濃度は自動設定、プレビュー確認設定は無しの状態を表している。また、シアンのトナー切れを検出していることからメッセージ表示部２２０には「Ｃトナーがなくなりました」の警告メッセージが表示されている。
【００５６】
図７は、トナー残量検出部７８がデジタル複合機４０のシアントナーが残量基準値まで減ってきたことを検出したときに表示部１９０に表示される、コピーモードの初期画面２４０を示す図である。
【００５７】
図７は、印刷部数は０、カラー設定はフルカラーモード、コピー濃度は自動設定、プレビュー確認設定は無しの状態を表している。また、シアントナーが残量基準値まで減ってきたことを検出していることからメッセージ表示部２２０には「Ｃトナーが残り少なくなっています」の警告メッセージが表示されている。
【００５８】
図８は、後述するデジタル複合機４０の制御部６０で実行されるプログラムにおいて、ステップＳ１２４が実行された時に表示部１９０に表示されるプレビュー表示画面２５０を示す図である。プレビュー表示画面２５０は、カラー印刷における各色のトナー量が十分ある時に表示されるプレビュー画面である。
【００５９】
図８を参照して、プレビュー表示画面２５０は、コピー開始ボタン２５２と、印刷中止ボタン２５４と、原稿が複数ページにわたる場合に次のページのプレビュー画像を表示するためのページ送りボタン２６０と、デジタル複合機４０の各色のトナー状態を表示するメッセージ表示部２６２と、作成されるプレビュー画像が多数になり１画面に表示しきれない場合に画面をスクロールさせるためのスクロールバー２６６と、プレビュー画像２７０と、プレビュー画像２７０を生成するにあたって使用するトナー各色の状態を表すトナー状態表示２７２、２７４、２７６、及び２７８とを含む。プレビュー表示画面２５０はさらに、表示されるプレビュー画像を押下して選択し、選択した画像の配色設定を行なうための配色設定ボタン２５６と、配色設定を行なった後に仕上がり状態を表示し、その配色設定をプレビュー画像及びカラー配色設定に反映させるための仕上り表示ボタン２６４とを含む。
【００６０】
図８のプレビュー表示画面２５０は、カラー印刷における各色のトナー量が十分ある時に表示されるプレビュー画面である。そのため、メッセージ表示部に２６２にはメッセージは表示されない。またプレビュー表示画面では、仕上り表示ボタン２６４の操作は無効となる。
【００６１】
以下に、プレビュー画像２７０とともに表示される使用するトナーの状態を示すトナー状態表示２７２、２７４、２７６、及び２７８についての表示説明をする。このトナー状態の表示説明に関しては、図９以降で表示されるプレビュー画像に付随するトナー状態表示にも共通する。
【００６２】
トナー状態表示２７２、２７４、２７６、及び２７８の中央にはそれぞれ、シアン、マゼンタ、イエロー、ブラックの頭文字を表すＣ、Ｍ、Ｙ、Ｂが表示されている。トナー状態表示はそれぞれ、この文字に対応する色のトナー状態を表す。トナー状態表示の枠線が実線の場合は、デジタル複合機４０に該当する色のトナー残量があることを示す。枠線が破線の場合は、該当する色はトナー切れ状態であることを示す。トナー状態表示の枠内がグレー表示である時は、プレビュー画像に表示される画像を生成する時にトナーが使用されていることを示す。枠内が白表示である時は、プレビュー画像に表示される画像を生成する時にトナーが使用されていないことを示す。したがって、枠線が破線であるトナー状態表示がグレー表示となることはない。また、残量が少ないトナーを用いて印刷を行なう場合、残量が少ないトナー状態表示は、枠線は実線で、かつ枠内はグレーの点滅表示になる。
【００６３】
図８の例では、４色ともに十分トナー残量がある状態のプレビュー表示であるため、プレビュー画像２７０に付随する４つのトナー状態表示はすべて、枠線は実線で枠内はグレー表示である。
【００６４】
図９は、後述するデジタル複合機４０の制御部６０で実行されるプログラムにおいて、ステップＳ１２０が実行された時に表示部１９０に表示されるプレビュー表示画面２９０を示す図である。プレビュー表示画面２９０は、デジタル複合機４０のシアン（Ｃ）トナーが切れている時に表示されるプレビュー画面である。
【００６５】
図９を参照して、プレビュー表示画面２９０は、複数のプレビュー画像３０２、３０４、３０６、３０８、及び３１０を含む。各プレビュー画像に付随するトナー状態表示を参考にすると、プレビュー画像３０２は、マゼンタ（Ｍ）、イエロー（Ｙ）、ブラック（Ｂ）の３色で構成されたプレビュー画像である。以下同様に、プレビュー画像３０４はＹ、Ｂ、プレビュー画像３０６はＭ、Ｂ、及びプレビュー画像３０８はＭ、Ｙ、の２色で構成されたプレビュー画像、プレビュー画像３１０はＢの１色のみで作成されたプレビュー画像である。
【００６６】
ブラック以外の１色がトナー切れになった場合（ここではシアンがトナー切れになったときを考える）に印刷可能なパターンとして、（１）Ｂのみ、（２）Ｍのみ、（３）Ｙのみ、（４）ＢとＹ、（５）ＢとＭ、（６）ＹとＭ、（７）ＢとＭとＹ、の計７パターンが考えられる。このとき、Ｂのみの印刷を除く単色カラーの印刷は視認性が悪く、利用者にとってほとんど意味を成さない。そのため、本実施例では（１）、及び（４）〜（７）のカラー画像パターンのプレビュー画像を生成し、表示する。
【００６７】
図１０は、後述するデジタル複合機４０の制御部６０で実行されるプログラムにおいて、ステップＳ１２２が実行された時に表示部１９０に表示されるプレビュー表示画面３２０を示す図である。プレビュー表示画面３２０は、デジタル複合機４０のシアン（Ｃ）トナーの残量が十分ではなく、読取った画像の印刷濃度では印刷終了までにトナー切れが生じると判断された時に表示されるプレビュー画面である。
【００６８】
図１０を参照して、プレビュー表示画面３２０は、複数のプレビュー画像３３２、３３４、３３６、３３８、３４０、及び３４２とプレビュー画像３４２のシアンのトナー状態を示すトナー状態表示３４４とを含む。また、プレビュー表示画面３２０では、トナー状態表示３４４は、白とグレーとで点滅表示している。
【００６９】
図１０の各プレビュー画像に付随するトナー状態表示を参考にすると、プレビュー画像３３２は、マゼンタ（Ｍ）、イエロー（Ｙ）、ブラック（Ｂ）の３色で構成されたプレビュー画像である。以下同様に、プレビュー画像３３４はＹ、Ｂ、プレビュー画像３３６はＭ、Ｂ、プレビュー画像３３８はＭ、Ｙ、の２色で構成されたプレビュー画像、プレビュー画像３４０はＢの１色のみで作成されたプレビュー画像である。また、プレビュー画像３４２はトナー状態表示３４４が点滅状態であることから、Ｍ、Ｙ、Ｂの３色と、印刷終了まで色味が変わらないようにＣトナーの濃度を薄くして他の３色にかけ合わせて構成されたプレビュー画像を表している。
【００７０】
図１１は、利用者がプレビュー画像を押すことにより選択し、さらに配色設定ボタン２５６を押した時に表示部１９０に表示される配色再設定画面３６０である。
【００７１】
図１１を参照して、配色再設定画面３６０は、プレビュー画像３７０と、プレビュー画像３７０を構成する各色のトナー状態を示すトナー状態表示３７２と、各色の配色濃度値表示３７４と、各色の配色上限値などを示す濃度表示バー３７６と、各色の配色濃度を設定するための矢印ボタン３７８とを含む。また、配色再設定画面３６０では、配色設定ボタン２５６、及びコピー開始ボタン２５２の操作は無効になり、仕上り表示ボタン２６４の操作は有効になる。
【００７２】
プレビュー画像３７０は、利用者によって選択されたプレビュー画像が表示され、表示される各色の配色濃度はそのプレビュー画像に設定されている濃度にあわせて表示される。
【００７３】
図１１の例では、プレビュー画像３７０のトナー状態表示からシアントナーが切れていることがわかる。また、プレビュー画像３７０は、Ｍ、Ｙ、Ｂの３色で構成されたプレビュー画像であり、ベタ塗りを１００％とすると、Ｍ、Ｙ、Ｂの濃度値はそれぞれ、０％、５％、２５％で構成されている。
【００７４】
配色再設定画面３６０では、それぞれの色に対応した矢印ボタン３７８を押すことによって、プレビュー画像の配色設定を変更することができる。所望の配色に設定した後、仕上り表示ボタン２６４を押すと設定した値でプレビュー画像が再生成される。またその設定は、印刷設定にも反映される。
【００７５】
配色設定に関して、トナー状態表示の枠線が破線の場合は、その色のトナーが切れている状態を示すため、０％（「無」表示）から変更することはできない。また、トナー状態表示が点滅している時は、その色のトナーは残り少ないことを示しており、濃度表示バーに上限値が設定、表示され、利用者はその色に関して定められた上限値までの間で濃度を調整することができる。
【００７６】
図１２は、デジタル複合機４０の制御部６０で実行され、プレビュー画像表示が設定された時はトナー残量を確認し、その状況に合わせたプレビュー表示画面を生成して表示するプログラムの制御構造を、フローチャート形式で表わす図である。このプログラムは、デジタル複合機４０がコピーモードで動作する時に実行されるプログラムであり、操作者が読取部６８に原稿をセットした時に実行される。
【００７７】
図１２を参照して、このプログラムは、操作者によって読取部６８に読取原稿がセットされたことを検知するステップＳ１０２と、ステップＳ１０２に続き、操作パネル６４からコピーモードにおける印刷設定の入力を受けるステップＳ１０４と、ステップＳ１０４に続き、スタートキー２００が押されるまで待機するステップＳ１０６と、スタートキー２００が押されると実行され、読取部６８にセットされた原稿を読取るステップＳ１０８と、ステップＳ１０８に続き、印刷設定でプレビュー画像表示を実行するよう設定されているか否かを判定し、判定結果によって制御の流れを分岐させるステップＳ１１０とを含む。
【００７８】
ステップＳ１０４で入力される印刷設定は、印刷部数、カラーモードの設定、プレビュー画像表示の実行の有無、印刷濃度設定を始めとする、コピーモードにおける初期画面２１０、２３０又は２４０で設定する各種印刷設定である。
【００７９】
このプログラムはさらに、ステップＳ１１０で、プレビュー画像表示を実行するように設定されていないと判定された場合（ＮＯの場合）に実行され、ステップＳ１０８で読取った原稿をステップＳ１０４で入力された印刷設定にしたがって印刷するステップＳ１３０と、ステップＳ１３０に続き、デジタル複合機４０のトナー残量を確認するステップＳ１３２と、ステップＳ１３２に続き、ステップＳ１３２で確認したトナー残量に対応した初期画面を表示するステップＳ１３４とを含む。ステップＳ１３４実行後、このプログラムを終了する。
【００８０】
ステップＳ１３２において、各色のトナーの残量が十分にあると確認された場合は、ステップＳ１３４では初期画面２１０を表示する。いずれかの色のトナーが残量基準値に近くまで減少していると確認された場合は、ステップＳ１３４では初期画面２４０を表示し、その色のトナー残量が少なくなっている事を利用者に告知する。いずれかの色のトナーが切れていると確認された場合は、ステップＳ１３４では初期画面２３０を表示して、その色のトナーが切れていることを利用者に告知する。
【００８１】
このプログラムはさらに、ステップＳ１１０でプレビュー画像表示を実行するように設定されていると判定された場合（ＹＥＳの場合）に実行され、デジタル複合機４０のトナー残量を確認するステップＳ１１２と、ステップＳ１１２に続き、トナー切れの色があるか否かを判定し判定結果に応じて制御の流れを分岐させるステップＳ１１４と、ステップＳ１１４でトナー切れの色がないと判定された場合（ＮＯの場合）に実行され、ステップＳ１０８で読込んだ原稿データ及びステップＳ１０４で入力された印刷設定から印刷におけるトナー消費量を算出するステップＳ１１６と、ステップＳ１１６に続き、ステップＳ１１２で確認したトナー残量とステップＳ１１６で算出したトナー消費量とを比較し、読取った画像濃度で印刷したとき印刷途中にトナー切れが生じるか否かを判定し、判定結果によって制御の流れを分岐させるステップＳ１１８と、ステップＳ１１８で、印刷途中にトナー切れが生じないと判定された場合（ＮＯの場合）に実行され、プレビュー画像を生成し、表示部１９０にプレビュー表示画面２５０を表示させるステップＳ１２４と、ステップＳ１１８で印刷途中にトナー切れが生じると判定された場合（ＹＥＳの場合）に実行され、トナーの残量条件に即したプレビュー画像を生成し、表示部１９０にプレビュー表示画面３２０を表示させるステップＳ１２２と、ステップＳ１１４でトナー切れの色があると判定された場合（ＹＥＳの場合）に実行され、トナーの残量条件に即したプレビュー画像を生成し、表示部１９０にプレビュー表示画面２９０を表示させるステップＳ１２０とを含む。ステップＳ１２０、ステップＳ１２２、又はステップＳ１２４実行後、このプログラムは終了し、表示されたプレビュー表示画面上に利用者からの操作を受けるのを待つ。
【００８２】
ステップＳ１１８における、印刷途中にトナー切れが生じるか否かの判断は以下のようにして行なう。ステップＳ１１６におけるトナー消費量の算出は、画像データの各色の画素数を計算し、１画素あたりのトナー消費量に基づいて画像データの各色のトナー消費量を算出する。これが印刷する画像データ１部にかかる各色のトナー消費量であり、これにステップＳ１０４で入力された印刷部数を掛けて、印刷ジョブあたりの各色のトナー消費量を算出する。このように算出された各色の算出値と、ステップＳ１１２で確認された各色のトナー残量とを比較して、印刷途中にトナー切れが生じるか否かを判定する。
【００８３】
図１３は、デジタル複合機４０の制御部６０で実行され、図１２のプログラムが実行され表示されたプレビュー表示画面上に利用者からの操作入力を受け、印刷実行または配色設定動作などを行なうプログラムの制御構造を、フローチャート形式で表わす図である。このプログラムは、図１２のプログラムが実行され、プレビュー表示画面２５０、２９０、３２０のいずれかが表示された時に実行される。
【００８４】
図１３を参照して、このプログラムは、プレビュー表示画面で印刷中止ボタン２５４が押されたか否かを判定し、判定結果に応じて制御の流れを分岐させるステップＳ１５０と、ステップＳ１５０で印刷中止ボタン２５４が押されていないと判定された場合（ＮＯの場合）に実行され、表示されたプレビュー画像のいずれかが選択されたか否かを判定し判定結果によって制御の流れを分岐させるステップＳ１５２と、ステップＳ１５２でプレビュー画像が選択されたと判定された場合（ＹＥＳの場合）に実行され、コピー開始ボタン２５２が押されたか否かを判定し、判定結果に応じて制御の流れを分岐させるステップＳ１５４と、ステップＳ１５４でコピー開始ボタン２５２が押されたと判定された場合（ＹＥＳの場合）に実行され、ステップＳ１５２で選択したプレビュー画像の配色と同じ配色で印刷を実行するステップＳ１６４と、ステップＳ１６４に続き、デジタル複合機４０のトナー残量を確認するステップＳ１６６と、ステップＳ１６６に続き、ステップＳ１６６で確認したトナー残量に対応した初期画面を表示するステップＳ１６８とを含む。
【００８５】
ステップＳ１６６において、各色のトナーの残量が十分にあると確認された場合は、ステップＳ１６８では初期画面２１０を表示する。いずれかの色のトナーが残量基準値に近くまで減少していると確認された場合は、ステップＳ１６８では初期画面２４０を表示して、その色のトナー残量が少なくなっている事を利用者に告知する。トナーのいずれかの色が切れていると確認された場合は、ステップＳ１６８では初期画面２３０を表示して、その色のトナーが切れていることを利用者に告知する。
【００８６】
ステップＳ１５０で印刷中止ボタン２５４が押されたと判定された場合（ＹＥＳの場合）は、制御はステップＳ１６６に進む。ステップＳ１５２でプレビュー画像が選択されていないと判定された場合（ＮＯの場合）は、制御の流れはステップＳ１５０に進む。ステップＳ１６８実行後、このプログラムは終了する。
【００８７】
このプログラムはさらに、ステップＳ１５４でコピー開始ボタン２５２が押されていないと判定された場合（ＮＯの場合）に実行され、配色設定ボタン２５６が押されたか否かを判定し、判定結果に応じて制御の流れを分岐させるステップＳ１５６と、ステップＳ１５６で配色設定ボタン２５６が押されたと判定された場合（ＹＥＳの場合）に実行され、配色再設定画面３６０を表示するステップＳ１５７と、ステップＳ１５７に続き、選択されたプレビュー画像の配色条件を再設定するステップＳ１５８と、ステップＳ１５８に続き、仕上り表示ボタン２６４が押されたか否かを判定し、判定結果に応じて制御の流れを分岐させるステップＳ１６０と、ステップＳ１６０で仕上り表示ボタン２６４が押されたと判定された場合（ＹＥＳの場合）に実行され、配色再設定画面３６０で設定された配色条件でプレビュー画像を再生成し、再生成したプレビュー画像を含んだプレビュー表示画面を表示するステップＳ１６２とを含む。ステップＳ１６０で、仕上り表示ボタン２６４が押されていないと判定された場合（ＮＯの場合）、制御はステップＳ１５８に進む。ステップＳ１５６で配色設定ボタン２５６が押されていないと判定された場合（ＮＯの場合）、又は、ステップＳ１６２が実行された後は、制御はステップＳ１５０に進む。
【００８８】
―動作―
第１の実施の形態に係るデジタル複合機４０は、コピーモードにおいて以下のように動作する。
【００８９】
利用者により、デジタル複合機４０に原稿がセットされ、コピーに関する印刷設定が入力される（ステップＳ１０２、１０４）。入力される印刷設定は、印刷枚数（印刷部数）、カラーモードの選択（モノクロ、フルカラー）、コピー濃度、プレビュー表示確認の有無などである。
【００９０】
印刷設定が入力され、スタートキーが押されると、読取部によって原稿の読取が行なわれ、プレビュー表示設定がされているか確認される（ステップＳ１０６、１０８、１１０）。プレビュー表示設定がされていない場合は、入力された印刷設定に基づいて印刷を実行し、印刷実行後デジタル複合機のトナー残量を確認し、トナー残量に応じたコピーモードの初期画面を表示して終了する（ステップＳ１３０、１３２、１３４）。
【００９１】
プレビュー表示設定がされている場合は、デジタル複合機４０は、シアン（Ｃ）、マゼンタ（Ｍ）、イエロー（Ｙ）、ブラック（Ｂ）のトナー残量を確認し、トナー切れの色があるかを確認する（ステップＳ１１２、１１４）。トナー切れの色がない場合には、読取った原稿と入力された印刷設定に基づいてトナー消費量を算出し（ステップＳ１１６）、読取った画像濃度で印刷をすると印刷途中でトナー切れが生じるか否かを判定する（ステップＳ１１８）。トナー切れが生じないと判定された場合は、Ｃ、Ｍ、Ｙ、Ｂの４色で構成されたプレビュー画像を表示したプレビュー表示画面２５０を表示する（ステップＳ１２４）。印刷途中でトナー切れが生じると判定された場合は、トナー切れをしない色で構成する複数のプレビュー画像と、途中でトナー切れが生じる色に関しては、印刷の最後まで色味が変わらないトナー濃度まで下げ、他の３色にかけ合わせて構成されるプレビュー画像を加えたプレビュー表示画面３２０を表示する（ステップＳ１２２）。トナー切れの色があると判定された場合は、トナー切れをしていない色で構成する複数のプレビュー画像を表示したプレビュー表示画面２９０を表示する（ステップＳ１２０）。
【００９２】
利用者はプレビュー表示画面に表示されたプレビュー画像を見て、生成される印刷物の色調を確認する。読取原稿が複数ページの場合は、ページ送りボタン２６０を操作して表示されるページを送り、印刷ページ全体の色調に問題がないか確認する。利用者は、表示されるプレビュー画像のうち、印刷を希望する色調のプレビュー画像を押して選択する。選択されたプレビュー画像の色調でコピー動作を行なう場合はコピー開始ボタンを押す。コピー開始ボタンの入力を受けたデジタル複合機４０は、入力された印刷設定及び選択されたプレビュー画像の色調設定に基づいて、印刷を実行する（ステップＳ１５２、ステップＳ１５４、ステップＳ１６４）。デジタル複合機４０は、印刷実行後にトナー残量の確認を行ない、トナー残量の状態に合った初期画面を表示して終了する（ステップＳ１６６、１６８）。
【００９３】
色調に関して再設定を行なう場合は、利用者は色調を再設定したいプレビュー画像を選択して配色設定ボタンを押す。配色設定ボタンの入力を受けたデジタル複合機４０は、配色再設定画面３６０を表示し、選択されたプレビュー画像の配色状況を表示する。デジタル複合機４０は色ごとにある矢印ボタンで利用者からの配色条件の変更を受付け、変更に合わせてプレビュー画像３７０の色調表示を変化させる。配色条件を再設定後、仕上り表示ボタンが押されたことに応答して、再設定された配色条件にしたがったプレビュー画像を生成し、プレビュー表示画面に表示する（ステップＳ１５６、１５７、１５８、１６０、１６２）。
【００９４】
また、プレビュー表示画面に表示されるプレビュー画像を確認し、所望の色調のプレビュー画像がない場合は、利用者は印刷中止ボタンを押す。印刷中止ボタンの入力を受けたデジタル複合機４０は、印刷を行なわず、トナー残量を確認し、トナー残量の状態に合った初期画面を表示して終了する。
【００９５】
以上のように、本実施の形態に係るデジタル複合機４０は、デジタル複合機４０に入力された印刷設定、読取った原稿画像データ、及び各色のトナー残量状態を元にして、一部のトナー残量が少ない時でも印刷終了まで同じ色調で印刷実行可能な色調のプレビュー画像を生成、表示する。利用者はプレビュー画像を確認し、プレビュー画像の中から所望の色調を表すプレビュー画像を選択し、印刷実行指示を出す。デジタル複合機４０はその指示を受けて、選択されたプレビュー画像の配色設定に基づき、プレビュー表示と同じ色調の印刷物を作成する。その結果、トナーの残量検出機能を備えた画像形成装置において、トナーの残量を考慮して画像形成をする場合、どのような画像が形成されるかを確認することができる画像形成装置を提供することができる。
【００９６】
また、トナー残量が僅かな色に関しても、印刷終了までは色調が変化しない印刷濃度でのプレビューを表示する。それにより、印刷途中に色調が変化した印刷物を生成することを防ぐことができ、印刷した印刷物がユーザにとって無駄なものになることを防止できる。
【００９７】
また、デジタル複合機４０は、プレビュー画像表示後に印刷を中止する手段を設けていることから、所望する配色設定がなかった時には印刷動作を中止することができる。その結果、無駄な印刷物を作ることを防止することができる。
【００９８】
［第２の実施の形態］
―構成―
第２の実施の形態では、デジタル複合機４０は、表示されるプレビュー表示画面において、トナー切れ又は印刷途中でトナー切れの可能性があると判定された場合には、読取部で読取った画像と、トナーの残量状態を元に生成されたプレビュー画像とを並べて表示する。
【００９９】
第２の実施の形態において、デジタル複合機４０のハードウェア構成は第１の実施の形態のデジタル複合機４０と同一であるが、制御部６０で実行されるプログラムが異なっている。
【０１００】
第２の実施の形態では、図１２で示されるプログラム構造を示すフローチャートにおいて、ステップＳ１２０及びステップＳ１２２の動作が異なる。ステップＳ１２０では、後述する図１４に示されるプレビュー表示画面４００が表示される。ステップＳ１２２では、プレビュー表示画面４００が表示される。またこのとき、それぞれのステップで生成するプレビュー画像は第１の実施の形態と同様に、トナーの残量状態にあわせて生成される。
【０１０１】
図１４は、第２の実施の形態で表示されるプレビュー表示画面４００を示す図である。図１４を参照して、プレビュー表示画面４００は、プレビュー画像４１０と、読取画像４２０とを含む。プレビュー表示画面４００においては、生成されたプレビュー画像と読取部６８で読取った画像とが並べて表示される。生成された複数のプレビュー画像を見る時は、スクロールバー２６６を用い、プレビュー画像を切替えて表示し、確認する。このとき、読取画像４２０の表示位置は変わらない。
【０１０２】
―動作―
第２の実施の形態に係るデジタル複合機４０は、コピーモードにおいて以下のように動作する。
【０１０３】
デジタル複合機４０は、利用者からの印刷設定の入力を受け、原稿を読取り、トナーの残量状態にしたがってプレビュー画像を生成し、プレビュー表示画面を表示する。
【０１０４】
トナー残量が十分ある時は、デジタル複合機４０は、プレビュー表示画面２５０を表示する。利用者はページ送りボタン２６０を押しプレビュー内容を確認し、色調に問題がなければ、プレビュー画像２７０を押して選択し、コピー開始ボタン２５２を押す。利用者からの入力を受けたデジタル複合機４０は、プレビュー画像２７０に設定された配色設定にしたがって印刷を実行する。
【０１０５】
トナーの残量状態がトナー切れ又は印刷途中でトナー切れが生じると判定された場合は、デジタル複合機４０は、プレビュー表示画面４００を表示する。プレビュー表示画面４００では、生成されたプレビュー画像と読取った読取画像とが並べて表示される。利用者は、スクロールバー２６６を操作してプレビュー画像と読取画像とを比較して、プレビュー画像を確認する。所望の色調のプレビュー画像があればプレビュー画像４１０を押して選択し、コピー開始ボタン２５２を押す。利用者からの入力を受けたデジタル複合機４０は、選択されたプレビュー画像の配色設定にしたがって印刷を実行する。
【０１０６】
デジタル複合機４０は、印刷実行後にトナー残量の確認を行ない、トナー残量の状態に合った初期画面を表示して終了する。
【０１０７】
また、配色設定を変更したい場合、利用者は変更したいプレビュー画像を押して選択し、配色設定ボタン２５６を押す。配色設定ボタン２５６の入力を受けたデジタル複合機４０は、配色再設定画面３６０を表示し選択されたプレビュー画像の配色状況を表示する。デジタル複合機４０は色ごとにある矢印ボタンで利用者からの配色条件の変更を受付け、変更に合わせてプレビュー画像３７０の色調表示を変化させる。配色条件の再設定が終了後、仕上り表示ボタン２６４が押されたことに応答して、再設定された配色条件にしたがったプレビュー画像を再生成し、プレビュー表示画面を再表示する。
【０１０８】
以上のように、トナーの残量状態が十分でない時は、プレビュー表示画面において、トナーの残量状態に応じて生成されたプレビュー画像と読取部で読取った読取画像とを並べて表示する。このことにより、利用者は実際に印刷される印刷物のプレビュー画像と、実画像のデータとを比較しながら確認することができ、プレビュー画像に表示される配色で印刷を行なうか否か、又は配色の再設定を行なうかを容易に判断することができる。その結果、トナーの残量検出機能を備えた画像形成装置において、トナーの残量を考慮して画像形成をする場合、どのような画像が形成されるかを確認することができる画像形成装置を提供することができる。
【０１０９】
［第３の実施の形態］
―構成―
第３の実施の形態では、データ通信システム３０において、デジタル複合機４０をプリンタとして用いて、ＬＡＮ４４上のコンピュータ４６からデジタル複合機４０に対して画像データのプリント指示を出す。プリント指示の中にプレビュー画面表示指示が含まれている場合は、デジタル複合機４０は、トナーの残量状態を確認し、それに合わせたプレビュー画像データをコンピュータ４６へ送り、コンピュータ４６上でプレビュー画面を表示する。利用者は表示されたプレビュー画面から所望の色調で表示されるプレビュー画像を選び、印刷開始指示を出す。送信される印刷開始指示には画像データとともに配色データも含まれる。また、プレビュー画像の配色の再設定はコンピュータ４６上で行なうものとし、デジタル複合機４０に印刷開始指示を出す際には再設定された配色データを含んで送信する。
【０１１０】
図１５は、コンピュータ４６からデジタル複合機４０へ印刷指示を出す時に表示される印刷指示画面４４０を示す図である。図１５を参照して、印刷指示画面４４０は、印刷指示を出すためのＯＫボタン４４２と、印刷自体をキャンセルためのキャンセルボタン４４４と、印刷実行前にプレビュー画面を表示するように指示を出すためのプレビュー表示ボタン４４６とを含む。
【０１１１】
コンピュータ４６からデジタル複合機４０へ送信される印刷指示には、印刷される画像データ、印刷部数情報、プレビュー画面表示指示情報などが含まれる。
【０１１２】
図１６は、コンピュータ４６が、後述する図１７のプログラムによってデジタル複合機４０からプレビュー画像データを受けたことに応答して表示する、プレビュー表示画面４６０を示す図である。図１６を参照して、プレビュー表示画面４６０は、プレビュー画像４８０、４８２、４８４、４８６、及び４８８と、ページ送りボタン４６８と、スクロールバー４７２と、デジタル複合機４０の状態を表示するメッセージ表示部４７０と、選択されたプレビュー画像の配色設定を行なう配色設定ボタン４６６と、コンピュータ４６に印刷開始指示を送信する印刷開始ボタン４６２と、印刷をキャンセルするためのキャンセルボタン４６４とを含む。
【０１１３】
プレビュー画像４８０〜４８８は、マウスなどのポインティングデバイスでクリックすることで選択される。図１６において、印刷開始指示を出す場合はプレビュー画像を選択し、印刷開始ボタン４６２をクリックする。
【０１１４】
また、配色条件の再設定はコンピュータ４６上で行なわれる。プレビュー画像４８０〜４８８のいずれかを選択し、配色設定ボタン４６６をクリックする。すると、コンピュータ４６上に図１１に示すような配色再設定画面（図示せず）が表示され、トナーの残量条件の範囲内での配色条件の再設定を行なうことができる。
【０１１５】
印刷開始ボタン４６２を押してコンピュータ４６からデジタル複合機４０に送信する印刷開始指示には、印刷される画像データ、印刷部数情報に加え、選択されたプレビュー画像が持つ配色設定情報が含まれる。
【０１１６】
図１７は、デジタル複合機４０の制御部６０で実行される、コンピュータ４６からの印刷指示を受信し、プレビュー画像データを生成してコンピュータ４６に送信するまでのプログラムの制御構造をフローチャート形式で表す図である。このプログラムは、デジタル複合機４０がコンピュータ４６からの印刷指示を受信した時に起動される。
【０１１７】
図１７を参照して、このプログラムは、コンピュータ４６からの印刷指示を受信するステップＳ２００と、ステップＳ２００に続き、ステップＳ２００で受信した印刷指示の中にプレビュー表示を実行する指示が含まれているか否かを判定し、判定結果に応じて制御の流れを分岐させるステップＳ２０２と、ステップＳ２０２で、プレビュー表示を実行する指示が含まれていると判定された場合（ＹＥＳの場合）に実行され、デジタル複合機４０のトナー残量を確認するステップＳ２０４と、ステップＳ２０４に続き、トナー切れの色があるか否かを判定し、判定結果に応じて制御の流れを分岐させるステップＳ２０６と、ステップＳ２０６でトナー切れの色がないと判定された場合（ＮＯの場合）に実行され、受信した印刷指示に含まれている画像データ及び印刷部数を元にしてトナー消費量を算出するステップＳ２０８と、ステップＳ２０８に続き、ステップＳ２０４で検出したトナー残量とトナー消費量とを比較して、読取った画像濃度で印刷すると印刷途中でトナー切れが生じるか否かを判定し、判定結果に応じて制御の流れを分岐させるステップＳ２１０と、ステップＳ２１０でトナー切れが生じないと判定された場合（ＮＯの場合）に実行され、Ｃ、Ｍ、Ｙ、Ｂの４色で構成されたプレビュー画像データをコンピュータ４６に送信するステップＳ２１６と、ステップＳ２１０で、トナー切れが生じると判定された場合（ＹＥＳの場合）に実行され、十分な残量があるトナーで構成されたプレビュー画像データと、途中でトナー切れが生じる色に関して印刷の最後まで色味が変わらないトナー濃度まで下げ、他の３色にかけ合わせて構成されるプレビュー画像データとをコンピュータ４６に送信するステップＳ２１４と、ステップＳ２０６で、トナー切れの色があると判定された場合（ＹＥＳの場合）に実行され、トナー切れの色を除く色で構成されたプレビュー画像データをコンピュータ４６に送信するステップＳ２１２とを含む。ステップＳ２１２、２１４、２１６のいずれかが実行されプレビュー画像データを送信後、このプログラムは終了し、コンピュータ４６からの印刷指示を受信するまで待機する。
【０１１８】
このプログラムはさらに、ステップＳ２０２でプレビュー表示を実行する指示が含まれていないと判定された場合（ＮＯの場合）に実行され、印刷指示に含まれる画像データ及び印刷部数にしたがってデジタル複合機４０で印刷を実行するステップＳ２１８を含む。ステップＳ２１８実行後、このプログラムは終了する。
【０１１９】
図１８は、デジタル複合機４０の制御部６０で実行され、コンピュータ４６で表示されるプレビュー表示画面４６０から送信された印刷開始指示を受信し、印刷を実行するまでのプログラム構造をフローチャート形式で表す図である。このプログラムは、図１７のフローチャートで、ステップＳ２１２、２１４、２１６のいずれかを実行後に起動する。
【０１２０】
図１８を参照して、このプログラムは、コンピュータ４６からの印刷開始指示信号の受信を待つステップＳ２５２と、ステップＳ２５２で印刷開始指示信号を受信したと判定された場合（ＹＥＳの場合）に実行され、印刷開始指示に含まれる、印刷画像データ、選択されたプレビュー画像が持つ配色設定情報、及び印刷部数情報にしたがって印刷を実行するステップＳ２５４とを含む。ステップＳ２５４実行後、このプログラムは終了する。
【０１２１】
―動作―
第３の実施の形態では、デジタル複合機４０はプリンタモードとして以下のように動作する。
【０１２２】
ＬＡＮ４４に接続されたコンピュータ４６から印刷指示を受けたデジタル複合機４０は、受信した印刷指示の中にプレビュー表示を実行する指示が含まれているかを判定する（ステップＳ２００、２０２）。プレビュー表示を実行する指示が含まれている場合は、デジタル複合機４０のトナー残量を確認し、トナー切れの色があるかを判定する（ステップＳ２０４、２０６）。トナー切れの色がないと判定された場合は、印刷指示に含まれる画像データと印刷部数データとを元にしてトナー消費量を算出し、トナー残量とトナー消費量とを比較して、印刷途中でトナー切れが生じるか否かを判定する（ステップＳ２０８、２１０）。トナー切れが生じないと判定された場合はＣ、Ｍ、Ｙ、Ｂの４色で構成されたプレビュー画像データをコンピュータ４６に送信する（ステップＳ２１６）。トナー切れが生じると判定された場合は、十分な残量があるトナーで構成されたプレビュー画像データと、データ切れが生じる色に関して濃度を調整して構成したプレビュー画像データとをコンピュータ４６に送信する（ステップＳ２１４）。トナー切れの色があると判定された場合は、トナー切れの色を除く色で構成されたプレビュー画像データをコンピュータ４６に送信する（ステップＳ２１２）。プレビュー表示を実行する指示が含まれていない場合は、印刷指示に含まれる画像データ及び印刷部数にしたがってデジタル複合機４０で印刷を実行する（ステップＳ２１８）。
【０１２３】
デジタル複合機４０からのプレビュー画像データを受信したコンピュータ４６は、プレビュー表示画面４６０を表示し、受信したプレビュー画像を表示する。利用者は、コンピュータ４６上にてプレビュー表示画面４６０を確認し、所望の色調のプレビュー画像をクリックして選択し、印刷開始ボタン４６２を押す。それを受けてコンピュータ４６は、デジタル複合機４０に、印刷画像データ、印刷部数情報、及び選択したプレビュー画像が持つ配色設定情報を含む、印刷開始指示を送信する。
【０１２４】
コンピュータ４６から送信された印刷開始指示を受信したデジタル複合機４０は、印刷開始指示に含まれる配色設定情報にしたがって、印刷画像データの印刷を実行する（ステップＳ２５２、２５４）。
【０１２５】
以上のように、デジタル複合機４０をプリンタモードで動作させ、デジタル複合機４０内のトナー残量状態に基づいてプレビュー画像を生成し、印刷指示を出すコンピュータ４６に送信しプレビュー画面に表示させることで、デジタル複合機４０をプリンタとして使用する時における出力可能な色調をプレビュー画像によって確認することができる。その結果、プリンタ機能においてもプレビュー画像によって色調設定を反映した印刷結果を確認することができ、生成する印刷物がユーザにとって無駄なものとなることを防止できる画像形成装置を提供することができる。
【０１２６】
以上のように、デジタル複合機４０を用いることで、トナーの残量検出機能を備えた画像形成装置において、トナー切れ又はトナー残量を考慮して画像形成をした印刷物が、ユーザにとって無駄なものとなることを防止できる画像形成装置を提供することができる。
【０１２７】
実施の形態では、デジタル複合機における１色のトナー切れの場合についてのみ記述したが、複数色のトナー切れ、又はトナー残量が十分でない状態が生じた場合にも同様に動作する。その時生成されるプレビュー画像はトナー状態に応じて変わり、生成されるプレビュー画像数も状況に応じて変化する。
【０１２８】
第１、及び第２の実施の形態については、デジタル複合機４０のコピーモードでの動作時について説明したが、ファクシミリ送信時に行なっても良い。
【０１２９】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【０１３０】
【図１】第１の実施の形態に係るデジタル複合機４０を含む、データ通信システム３０の全体構成を表す模式図である。
【図２】本実施の形態に係るデジタル複合機４０の構成を表すブロック図である。
【図３】読取部６８、記録部６６とで構成されるデジタル複合機４０の断面図である。
【図４】操作パネル６４を表す図である。
【図５】表示部１９０に表示される、コピーモードにおける初期画面２１０を示す図である。
【図６】トナー残量検出部７８が、シアントナーが切れていることを検出したときに表示部１９０に表示される、コピーモードの初期画面２３０を示す図である。
【図７】トナー残量検出部７８が、シアントナーが残量基準値まで減ってきたことを検出したときに表示部１９０に表示される、コピーモードの初期画面２４０を示す図である。
【図８】デジタル複合機４０の制御部６０で実行されるプログラムにおいて、ステップＳ１２４が実行された時に表示部１９０に表示されるプレビュー表示画面２５０を示す図である。
【図９】デジタル複合機４０の制御部６０で実行されるプログラムにおいて、ステップＳ１２０が実行された時に表示部１９０に表示されるプレビュー表示画面２９０を示す図である。
【図１０】デジタル複合機４０の制御部６０で実行されるプログラムにおいて、ステップＳ１２２が実行された時に表示部１９０に表示されるプレビュー表示画面３２０を示す図である。
【図１１】図８〜図１０のプレビュー表示画面に表示されるプレビュー画像を選択し、配色設定ボタン２５６が押された時に表示される配色再設定画面３６０である。
【図１２】デジタル複合機４０の制御部６０で実行され、プレビュー表示が設定された時はトナー残量を確認し、その状況に合わせたプレビュー表示画面を生成し表示するプログラムの制御構造を、フローチャート形式で表わす図である。
【図１３】デジタル複合機４０の制御部６０で実行され、プレビュー表示画面上に利用者からの操作入力を受け、印刷実行または配色設定動作などを行なうプログラムの制御構造を、フローチャート形式で表わす図である。
【図１４】第２の実施の形態で表示されるプレビュー表示画面４００を示す図である。
【図１５】コンピュータ４６からデジタル複合機４０へ印刷指示を出す時に表示される印刷指示画面４４０を示す図である。
【図１６】コンピュータ４６が、デジタル複合機４０からプレビュー画像データを受けたことに応答して表示する、プレビュー表示画面４６０を示す図である。
【図１７】デジタル複合機４０の制御部６０で実行され、コンピュータ４６からの印刷指示を受信し、プレビュー画像データを生成してコンピュータ４６に送信するまでのプログラムの制御構造をフローチャート形式で表す図である。
【図１８】デジタル複合機４０の制御部６０で実行され、コンピュータ４６で表示されるプレビュー表示画面４６０から送信された印刷開始指示を受信し、印刷を実行するまでのプログラム構造をフローチャート形式で表す図である。
【符号の説明】
【０１３１】
４０  デジタル複合機
６０  制御部
６４  操作パネル
６６  記録部
６８  読取部
７８  トナー残量検出部
８８  プレビュー画像生成部
１９０  表示部
２００  スタートキー
２１２  プレビュー確認設定ボタン
２５０、２９０、３２０  プレビュー表示画面
２５２  コピー開始ボタン
２５６  配色設定ボタン
２６４  仕上り表示ボタン
２７０  プレビュー画像
２７２、２７４、２７６、２７８  トナー状態表示
３６０  配色再設定画面
【図１】
2010117648.tif 000003
【図２】
2010117648.tif 000004
【図３】
2010117648.tif 000005
【図４】
2010117648.tif 000006
【図５】
2010117648.tif 000007
【図６】
2010117648.tif 000008
【図７】
2010117648.tif 000009
【図８】
2010117648.tif 000010
【図９】
2010117648.tif 000011
【図１０】
2010117648.tif 000012
【図１１】
2010117648.tif 000013
【図１２】
2010117648.tif 000014
【図１３】
2010117648.tif 000015
【図１４】
2010117648.tif 000016
【図１５】
2010117648.tif 000017
【図１６】
2010117648.tif 000018
【図１７】
2010117648.tif 000019
【図１８】
2010117648.tif 000020